(57)【要約】【課題】    平成５年８月１０日特許出願番号  特公平７-102474の空缶圧縮装置を出願し目的を達したが、同装置で廃ペットボトルを圧縮できないので本発明を考案した。【解決手段】  対向するスラットコンベアーの進行方向に凹凸の溝を設けてペットボトルを角型の波状に圧潰処理することを特徴とするペットボトルの圧潰処理装置。【選択図】図５
2009012064.tif 000002
【特許請求の範囲】
【請求項１】
固定部材に支持させた前後一対のチエン車間に短冊状の鋼板を僅小の間隔で配置結着した固定スラットコンベアーと、固定部材に揺動自在に支持させた側板に設けた前後のチエン車間に短冊状の鋼板を僅小の間隔で配置結着した揺動スラットコンベヤーとを備え、該揺動スラットコンベヤーの先端を、固定スラットコンベヤーに対し、処理物の圧潰厚さに相当する間隙を存してＶ字状に対向させ、且つ各スラットコンベヤーの先端側のチエン車を夫々別個のモータに連動させて、両スラットコンベヤーの対向面が夫々先端側に向かって移行するようにして、さらにスラットコンベアーの進行方向に凹凸の溝を設けてペットボトルを角型の波状に圧潰処理することを特徴とするペットボトルの圧潰処理装置。
【発明の詳細な説明】
【技術分野】
【０００１】
本発明は空缶を圧縮処理する装置であって、使用済みのペットボトル容器を圧縮処理する機能をも有する装置に関するものである。
【背景技術】
【０００２】
従来の空缶処理機（特許文献１参照）でも空缶とペットボトルを潰すことはできる。しかし空缶では圧潰したままだが、ペットボトルでは圧潰した後に膨らんで元の状態に戻ってしまう。
またペットボトルを加熱処理する方法などがあるものの、圧縮折り曲げを行う技術は見当たらない。
【特許文献１】特公平７−１０２４７４号
【発明の開示】
【発明が解決しようとする課題】
【０００３】
空ペットボトルの処理に関していったん潰しても又単に潰すだけでは復元してしまうので、これを解決するため復元力で元に戻らない様圧縮しながら今一段と曲げ潰す技術を発明して目的を達した。
【課題を解決するための手段】
【０００４】
特公平7-102474では、空缶は潰れるがペットボトルは復元力が強く又もと通りの状態に戻ってしまいます、これを今一段曲げ圧縮することにより復元力がなくなり目的を達することが出来る、本発明は上下２個のスラットコンベヤーのスラット部を特殊な溝を加工し、ペットボトルの復元力を無力化することを目的とする技術である又本発明は上下二つのスラットコンベヤーのスラット部に互いにかみ合う溝を加工し、機械を運転することにより圧縮と曲げを同時に行う技術である。
【発明の効果】
【０００５】
本発明により在庫が大量に出来輸送費も大幅に軽減、また環境に害虫の発生など効果があり、又資源再生上の下降経費も縮小します。
【発明を実施するための最良の形態】
【０００６】
本発明装置の実施例を
1183958650703_0
乃至
1183958650703_1
によって説明する。根部を固定部材６に揺動自在に支持させた揺動スラットコンベヤー１と、固定部材６に支持させた固定スラットコンベヤー１´からなり、両スラットコンベヤー１，１´は
1183958650703_2
の（イ）、（ロ）で示すように適当間隔に並設した一対の無端状チェン１ａ，１ａ間に、チェンの長さ方向において僅小間隔で短冊状の鋼板１ｂを多数張渡して構成し、各コンベヤー１，１´の両側チェン１ａ、１ａを夫々の側板２，２に対称的に軸支した少なくとも４個のチェン車３に懸架させて無端状に回走させるようにした。
【０００７】
図示の実施例では２条のチェン１ａ，１ａ間に亘って鋼板１ｂを張設したものを示したが、広幅のコンベヤーを形成する場合は短冊状鋼板１ｂも長くなるから、これに対応してチェン１ａを増加することがある。
【０００８】
上記のように左右の側板２，２間に架設したスラットコンベヤー１，１´の一対を
1183958650703_3
で示すように上下に配して、両コンベヤー１，１´の先端部間にペットボトルａの圧潰厚さ分に相当する間隙５を存させて両コンベヤー１，１´をＶ字状に対向させ、固定コンベヤー１´の側板２の先端は固定支持材７上に支持させ、揺動コンベヤー１の側板２の根部側はチエン車３の軸３ａによって固定部材６に支持させて、その側板２先端を遊離状態とし、該遊離端部に上部から弾圧スプリング８を作用させた。
【０００９】
該スプリング８の弾圧作動で、揺動コンベヤー１の側板２の先端は下部コンベヤー１´の側板２上に支持され、この状態において両コンベヤー１，１´の先端部間に前記したペットボトルａの圧潰厚さに相当する間隙５が形成されるようにし、しかも上部コンベヤー１の先端は上方への移動が可能となるようにした。
【００１０】
図において９，１０は両コンベヤー１，１´の駆動回走用モータで、夫々連動機構１１，１２を介してチェン車３，３を駆動させて上下コンベヤー１，１´のＶ字形対向面を共に先端部に向って走行させてＶ字状間隔部に供給したペットボトルａを圧潰用間隙部５に向って移送させるようにした。
【００１１】
尚、上部コンベヤー１の駆動用モータ９は該コンベヤーの側板２と一体の支持台１３上に設置した。
【００１２】
図中１４は両コンベヤー１，１´間のＶ字状対向部内に供給したペットボトルａが側方に脱出することを阻止するよう左右の側板２に取付けた転落防止片、また１５はペットボトルａの圧潰作動時に上下コンベヤー１，１´の凹入を阻止する支持板を示す。
【００１３】
以上の構成において、両コンベヤー１，１´間のＶ字状対向部に供給されたペットボトルａは順次先端に向って移送し、弾発スプリング８で押圧された揺動コンベヤー１と、支持台７で支受された固定コンベヤー１´との各端部間で形成される圧潰間隙部５を通過することにより圧潰され扁平となって放出され、ペットボトルａ内に石等の圧潰不能の固型物が入ったものは、該固形物によって揺動コンベヤー１の端部を、弾圧スプリング８の加圧に抗し揺動コンベヤー１を後退させつつ排除しつ該圧潰間隙部５を通過する。そしてこれが放出された後再び弾圧スプリング８による圧潰間隔５での圧潰作業が行われる。
【００１４】
図４は本発明になるスラットコンベアーの側面図であり、図５はスラットコンベアーの正面図である。対向する上下のスラットコンベアーの表面には互いにかみ合う角型の溝を設けてある。これにより上部と下部のスラットコンベヤーの、上下スラットが機械運転中に上の凸型(1c)が下の凹型(1b)に良くかみ合うよう取り付け圧縮を行いからペットボトルが上下のスラットコンベヤーのスラットに挟まれ圧縮しながら流れ方向に複数の折曲げを行う。
【００１５】
尚、図示例で圧潰作業分部のみを示したが、圧潰作動機としては上記装置機構部を、ペットボトルの供給口と圧潰を終った扁平物の放出口等を有する機筐内に収容して商品化するものである。更に図示例では一対のスラットコンベヤー１，１´を上下に配置して、ペットボトルを水平方向に移送させたが、両コンベヤー１，１´を左右の上下又は斜め方向として、ペットボトルを下向きに誘導させるようにしてもよい。
【図面の簡単な説明】
【００１６】
【図１】本発明によるペットボトル圧潰処理装置の実施例を示す平面図
【図２】図１のII−II截断側面図
【図３】（イ）はスラットコンベヤーの平面図、（ロ）はスラットコンベヤーの側面図
【図４】スラットコンベアーの側面図
【図５】スラットコンベアーの正面図
【符号の説明】
【００１７】
１，１´ スラットコンベヤー １ａ チェン
１ｂ 短冊状鋼板 ２ 側板
５ 圧潰間隔 ８ 弾圧スプリング
ａ  ペットボトル（空缶）
【図１】
2009012064.tif 000003
【図２】
2009012064.tif 000004
【図３】
2009012064.tif 000005
【図４】
2009012064.tif 000006
【図５】
2009012064.tif 000007